(57)【特許請求の範囲】
【請求項１】
ユーザ機器（ＵＥ）による、間欠受信（ＤＲＸ）動作の方法であって、
上記ＵＥの受信回路により、第１のＤＲＸパラメータ構成を含む無線リソース制御（ＲＲＣ）構成を受信するステップと、
上記ＵＥの上記受信回路により、第２のＤＲＸパラメータ構成を含む上記ＲＲＣ構成を受信するステップと、
上記ＵＥの上記受信回路により、帯域幅部分（ＢＷＰ）のトランスポートブロック受信を示すダウンリンク制御情報（ＤＣＩ）を受信するステップとを含み、
上記第１のＤＲＸパラメータ構成は、固定持続時間を有する第１の単位を有する第１のＤＲＸパラメータを構成し、
上記第２のＤＲＸパラメータ構成は、スケーラブル持続時間を有する第２の単位を有する第２のＤＲＸパラメータを構成し、
上記第２の単位の上記スケーラブル持続時間の決定は、上記ＢＷＰのスロット長に基づいており、
上記第１の単位はミリ秒であり、上記第２の単位はスロットであり、上記ＢＷＰはＤＣＩに含まれるＢＷＰインジケータによって示される、方法。
【請求項２】
上記スロット長が、サブキャリア間隔に基づいて決定される、請求項１に記載の方法。
【請求項３】
上記第１のＤＲＸパラメータおよび上記第２のＤＲＸパラメータのうちの少なくとも１つが、ｄｒｘ−ｏｎＤｕｒａｔｉｏｎＴｉｍｅｒ、ｄｒｘ−ＳｈｏｒｔＣｙｃｌｅ、ｄｒｘ−ＬｏｎｇＣｙｃｌｅＳｔａｒｔＯｆｆｓｅｔ、ｄｒｘ−ＩｎａｃｔｉｖｉｔｙＴｉｍｅｒ、ｄｒｘ−ＨＡＲＱ−ＲＴＴ−ＴｉｍｅｒＤＬ、ｄｒｘ−ＨＡＲＱ−ＲＴＴ−ＴｉｍｅｒＵＬ、ｄｒｘ−ＲｅｔｒａｎｓｍｉｓｓｉｏｎＴｉｍｅｒＤＬ、または、ｄｒｘ−ＲｅｔｒａｎｓｍｉｓｓｉｏｎＴｉｍｅｒＵＬを含む、請求項１に記載の方法。
【請求項４】
第１のＤＲＸパラメータ構成を含む無線リソース制御（ＲＲＣ）構成を受信し、第２のＤＲＸパラメータ構成を含む上記ＲＲＣ構成を受信し、帯域幅部分（ＢＷＰ）のトランスポートブロック受信を示すダウンリンク制御情報（ＤＣＩ）を受信するように構成された受信回路を備え、
上記第１のＤＲＸパラメータ構成は、固定持続時間を有する第１の単位を有する第１のＤＲＸパラメータを構成し、
上記第２のＤＲＸパラメータ構成は、スケーラブル持続時間を有する第２の単位を有する第２のＤＲＸパラメータを構成し、
上記第２の単位の上記スケーラブル持続時間の決定は、上記ＢＷＰのスロット長に基づいており、
上記第１の単位はミリ秒であり、上記第２の単位はスロットであり、上記ＢＷＰはＤＣＩに含まれるＢＷＰインジケータによって示される、ユーザ機器（ＵＥ）。
【請求項５】
上記スロット長が、サブキャリア間隔に基づいて決定される、請求項４に記載のＵＥ。
【請求項６】
上記第１のＤＲＸパラメータおよび上記第２のＤＲＸパラメータのうちの少なくとも１つが、ｄｒｘ−ｏｎＤｕｒａｔｉｏｎＴｉｍｅｒ、ｄｒｘ−ＳｈｏｒｔＣｙｃｌｅ、ｄｒｘ−ＬｏｎｇＣｙｃｌｅＳｔａｒｔＯｆｆｓｅｔ、ｄｒｘ−ＩｎａｃｔｉｖｉｔｙＴｉｍｅｒ、ｄｒｘ−ＨＡＲＱ−ＲＴＴ−ＴｉｍｅｒＤＬ、ｄｒｘ−ＨＡＲＱ−ＲＴＴ−ＴｉｍｅｒＵＬ、ｄｒｘ−ＲｅｔｒａｎｓｍｉｓｓｉｏｎＴｉｍｅｒＤＬ、または、ｄｒｘ−ＲｅｔｒａｎｓｍｉｓｓｉｏｎＴｉｍｅｒＵＬを含む、請求項４に記載のＵＥ。
【請求項７】
基地局によって、間欠受信（ＤＲＸ）動作を実現する方法であって、
上記基地局の送信回路により、第１のＤＲＸパラメータ構成を含む無線リソース制御（ＲＲＣ）構成を提供するステップと、
上記基地局の上記送信回路により、第２のＤＲＸパラメータ構成を含む上記ＲＲＣ構成を提供するステップと、
上記基地局の上記送信回路により、帯域幅部分（ＢＷＰ）のトランスポートブロック受信を示すダウンリンク制御情報（ＤＣＩ）を提供するステップとを含み、
上記第１のＤＲＸパラメータ構成は、固定持続時間を有する第１の単位を有する第１のＤＲＸパラメータを構成し、
上記第２のＤＲＸパラメータ構成は、スケーラブル持続時間を有する第２の単位を有する第２のＤＲＸパラメータを構成し、
上記第２の単位の上記スケーラブル持続時間の決定は、上記ＢＷＰのスロット長に基づいており、
上記第１の単位はミリ秒であり、上記第２の単位はスロットであり、上記ＢＷＰはＤＣＩに含まれるＢＷＰインジケータによって示される、方法。
【請求項８】
上記スロット長が、サブキャリア間隔に基づいて決定される、請求項７に記載の方法。
【請求項９】
上記第１のＤＲＸパラメータおよび上記第２のＤＲＸパラメータのうちの少なくとも１つが、ｄｒｘ−ｏｎＤｕｒａｔｉｏｎＴｉｍｅｒ、ｄｒｘ−ＳｈｏｒｔＣｙｃｌｅ、ｄｒｘ−ＬｏｎｇＣｙｃｌｅＳｔａｒｔＯｆｆｓｅｔ、ｄｒｘ−ＩｎａｃｔｉｖｉｔｙＴｉｍｅｒ、ｄｒｘ−ＨＡＲＱ−ＲＴＴ−ＴｉｍｅｒＤＬ、ｄｒｘ−ＨＡＲＱ−ＲＴＴ−ＴｉｍｅｒＵＬ、ｄｒｘ−ＲｅｔｒａｎｓｍｉｓｓｉｏｎＴｉｍｅｒＤＬ、または、ｄｒｘ−ＲｅｔｒａｎｓｍｉｓｓｉｏｎＴｉｍｅｒＵＬを含む、請求項７に記載の方法。
【発明の詳細な説明】
【発明の詳細な説明】
【０００１】
〔関連出願とのクロスレファレンス〕
本出願は、２０１７年８月１１日に出願された米国特許仮出願第６２／５４４，１８１号、発明の名称「ＤＲＸ  ＯＰＥＲＡＴＩＯＮ  ＡＮＤ  ＣＯＮＦＩＧＵＲＡＴＩＯＮ  ＩＮ  ＮＥＷ  ＲＡＤＩＯ」、代理人整理番号ＵＳ７１７０９（以下、「ＵＳ７１７０９出願」と呼ぶ）の利益および優先権を主張する。ＵＳ７１７０９出願の開示は、参照により本出願に全体的に組み込まれる。
〔技術分野〕
本開示は、概論的には無線通信に関し、より詳細には、間欠受信動作のための装置および方法に関する。
〔背景技術〕
（進化版）ロングタームエボリューション（（ｅ）ＬＴＥ）ネットワークなどの無線通信ネットワークでは、１つまたは複数のユーザ機器（ＵＥ）のバッテリ寿命を保つために、基地局とＵＥとの間で間欠受信（ＤＲＸ）が一般に使用される。例えば、ＤＲＸ中に、ＵＥはそのＲＦモジュールをオフにし、かつ／または、データ送信間の制御チャネル監視を中断し得る。ＵＥは、例えば、基地局の構成および実際のトラフィックパターンに基づいて、事前に構成されたＯＮ／ＯＦＦサイクルを有する制御チャネル（例えば、物理的ダウンリンク制御チャネル（ＰＤＣＣＨ））を周期的に監視し得る。基地局は、ＵＥに対して、以下のようなＤＲＸ構成パラメータおよびタイマーを構成し、送信できる：ＤＲＸオン持続時間タイマー（ｄｒｘ−ｏｎＤｕｒａｔｉｏｎＴｉｍｅｒ）、ＤＲＸ非アクティブタイマー（ｄｒｘ−ＩｎａｃｔｉｖｉｔｙＴｉｍｅｒ）、ＤＲＸ再送信タイマー（ｄｒｘ−ＲｅｔｒａｎｓｍｉｓｓｉｏｎＴｉｍｅｒ）、ＤＲＸ長サイクル開始オフセット（ｄｒｘ−ＬｏｎｇＣｙｃｌｅＳｔａｒｔＯｆｆｓｅｔ）、ＤＲＸ短サイクル（ｄｒｘ−ＳｈｏｒｔＣｙｃｌｅ）、ＤＲＸ短サイクルタイマー（ｄｒｘ−ＳｈｏｒｔＣｙｃｌｅＴｉｍｅｒ）およびラウンドトリップタイムタイマー（ＲＴＴ  Ｔｉｍｅｒ）。
【０００２】
次世代（例えば、第５世代（５Ｇ）新無線（ＮＲ））無線通信ネットワークにおけるデータスケジューリングの柔軟性を高めるために、第３世代パートナーシッププロジェクト（３ＧＰＰ）は、フレーム構造形成および制御チャネル割り当てに関する新しい設計を導入した。ここで、フレーム構造内のすべての要素が、固定時間単位を有するわけではない。
【０００３】
したがって、当技術分野では、次世代無線通信ネットワークのために、柔軟性があるＤＲＸ動作のための装置および方法が必要とされている。
〔発明の概要〕
本開示は、新無線における間欠受信のための装置および方法を対象とする。
【０００４】
本開示の第１の態様において、ユーザ機器（ＵＥ）による、間欠受信（ＤＲＸ）動作の方法が説明される。この方法は、上記ＵＥの受信回路により、第１のＤＲＸパラメータ構成を含む無線リソース制御（ＲＲＣ）構成を受信するステップと、上記ＵＥの上記受信回路により、第２のＤＲＸパラメータ構成を含む上記ＲＲＣ構成を受信するステップとを含み、上記第１のＤＲＸパラメータ構成は、第１の単位を有する第１のＤＲＸパラメータを構成し、上記第２のＤＲＸパラメータ構成は、第２の単位を有する第２のＤＲＸパラメータを構成し、上記第１の単位はミリ秒であり、上記第２の単位はスロットまたはシンボルである。
【０００５】
上記第１の態様の一実施形態によると、上記第１の単位の第１の持続時間は固定されており、上記第２の単位の第２の持続時間はスケーラブルであり、上記第２の単位の第２の持続時間の決定は、上記第２のＤＲＸパラメータが適用される帯域幅部分（ＢＷＰ）のフレーム構造に基づく。
【０００６】
上記第１の態様の別の実施形態によると、上記フレーム構造が、サブキャリア間隔に基づいて決定される。
【０００７】
上記第１の態様の別の実施形態によると、上記第２の単位の第２の持続時間は、各構成されたＢＷＰに関するＢＷＰインジケータおよび事前に構成されたサブキャリア間隔インジケータに基づいて、データ送信スケジューリングごとにスケーリングされる。
【０００８】
上記第１の態様の別の実施形態によると、上記第１の単位はサブミリ秒である。
【０００９】
上記第１の態様の別の実施形態によると、上記第１のＤＲＸパラメータおよび上記第２のＤＲＸパラメータのうちの少なくとも１つが、ｄｒｘ−ｏｎＤｕｒａｔｉｏｎＴｉｍｅｒ、ｄｒｘ−ＳｈｏｒｔＣｙｃｌｅ、ｄｒｘ−ＬｏｎｇＣｙｃｌｅＳｔａｒｔＯｆｆｓｅｔ、ｄｒｘ−ＩｎａｃｔｉｖｉｔｙＴｉｍｅｒ、ｄｒｘ−ＨＡＲＱ−ＲＴＴ−ＴｉｍｅｒＤＬ、ｄｒｘ−ＨＡＲＱ−ＲＴＴ−ＴｉｍｅｒＵＬ、ｄｒｘ−ＲｅｔｒａｎｓｍｉｓｓｉｏｎＴｉｍｅｒＤＬ、または、ｄｒｘ−ＲｅｔｒａｎｓｍｉｓｓｉｏｎＴｉｍｅｒＵＬを含む。
【００１０】
上記第１の態様の別の実施形態によると、上記第２のＤＲＸパラメータが上記ＤＲＸ動作のＯＮサイクル中に上記ＵＥによって受信されないと、該ＵＥは、上記ＤＲＸ動作における 先のＯＮサイクル中に受信された、前に受信の第２のＤＲＸパラメータを適用する。
【００１１】
上記第１の態様の別の実施形態によると、上記第２のＤＲＸパラメータは、物理的ダウンリンク制御チャネル（ＰＤＣＣＨ）またはグループ共通（ＧＣ）−ＰＤＣＣＨを通じて、上記ＵＥによって受信され、上記第２の単位の第２の持続時間は、さらに、上記ＰＤＣＣＨまたはＧＣ−ＰＤＣＣＨにおける、スロット／シンボルフォーマット情報（ＳＦＩ）または無線リソースフォーマットインジケーションに基づいている。
【００１２】
上記第１の態様の別の実施形態によると、上記第１のＤＲＸパラメータは、上記ＤＲＸ動作のＯＮ／ＯＦＦサイクルに基づいて構成され、上記第２のＤＲＸパラメータは、再構成可能であり、上記ＤＲＸ動作の１つまたは複数のＯＮサイクル中に上記ＵＥによって受信される。
【００１３】
上記第１の態様の別の実施形態によると、上記ＵＥは、上記第２のＤＲＸパラメータを受信するために、１つまたは複数の、サブキャリア、サブバンド、またはＢＷＰを監視する。
【００１４】
本開示の第２の態様において、間欠受信（ＤＲＸ）動作用のユーザ機器（ＵＥ）が説明される。このＵＥは、第１のＤＲＸパラメータ構成を含む無線リソース制御（ＲＲＣ）構成を受信し、第２のＤＲＸパラメータ構成を含む上記ＲＲＣ構成を受信するように構成された受信回路を備え、上記第１のＤＲＸパラメータ構成は、第１の単位を有する第１のＤＲＸパラメータを構成し、上記第２のＤＲＸパラメータ構成は、第２の単位を有する第２のＤＲＸパラメータを構成し、上記第１の単位はミリ秒またはサブミリ秒であり、上記第２の単位はスロットまたはシンボルである。
【００１５】
上記第２の態様の一実施形態によると、上記第１の単位の第１の持続時間は固定されており、上記第２の単位の第２の持続時間はスケーラブルであり、上記第２の単位の第２の持続時間の決定は、上記第２のＤＲＸパラメータが適用される帯域幅部分（ＢＷＰ）のフレーム構造に基づく。
【００１６】
上記第２の態様の別の実施形態によると、上記フレーム構造が、サブキャリア間隔に基づいて決定される。
【００１７】
上記第２の態様の別の実施形態によると、上記第２の単位の第２の持続時間は、各構成されたＢＷＰに関するＢＷＰインジケータおよび事前に構成されたサブキャリア間隔インジケータに基づいて、データ送信スケジューリングごとにスケーリングされる。
【００１８】
上記第２の態様の別の実施形態によると、上記第１のＤＲＸパラメータおよび上記第２のＤＲＸパラメータのうちの少なくとも１つが、ｄｒｘ−ｏｎＤｕｒａｔｉｏｎＴｉｍｅｒ、ｄｒｘ−ＳｈｏｒｔＣｙｃｌｅ、ｄｒｘ−ＬｏｎｇＣｙｃｌｅＳｔａｒｔＯｆｆｓｅｔ、ｄｒｘ−ＩｎａｃｔｉｖｉｔｙＴｉｍｅｒ、ｄｒｘ−ＨＡＲＱ−ＲＴＴ−ＴｉｍｅｒＤＬ、ｄｒｘ−ＨＡＲＱ−ＲＴＴ−ＴｉｍｅｒＵＬ、ｄｒｘ−ＲｅｔｒａｎｓｍｉｓｓｉｏｎＴｉｍｅｒＤＬ、または、ｄｒｘ−ＲｅｔｒａｎｓｍｉｓｓｉｏｎＴｉｍｅｒＵＬを含む。
【００１９】
上記第２の態様の別の実施形態によると、上記第２のＤＲＸパラメータが上記ＤＲＸ動作のＯＮサイクル中に上記ＵＥによって受信されないと、該ＵＥは、上記ＤＲＸ動作における 先のＯＮサイクル中に受信された、前に受信の第２のＤＲＸパラメータを適用する。
【００２０】
上記第２の態様の別の実施形態によると、上記第２のＤＲＸパラメータは、物理的ダウンリンク制御チャネル（ＰＤＣＣＨ）またはグループ共通（ＧＣ）−ＰＤＣＣＨを通じて、上記ＵＥによって受信され、上記第２の単位の第２の持続時間は、さらに、上記ＰＤＣＣＨまたはＧＣ−ＰＤＣＣＨにおける、スロット／シンボルフォーマット情報（ＳＦＩ）または無線リソースフォーマットインジケーションに基づいている。
【００２１】
上記第２の態様の別の実施形態によると、上記第１のＤＲＸパラメータは、上記ＤＲＸ動作のＯＮ／ＯＦＦサイクルに基づいて構成され、上記第２のＤＲＸパラメータは、再構成可能であり、上記ＤＲＸ動作の１つまたは複数のＯＮサイクル中に上記ＵＥによって受信される。
【００２２】
別の実施形態によると、上記ＵＥは、上記第２のＤＲＸパラメータを受信するために、１つまたは複数の、サブキャリア、サブバンド、またはＢＷＰを監視する。
【００２３】
本開示の第３の態様において、基地局によって、間欠受信（ＤＲＸ）動作を実現する方法が説明される。この方法は、上記基地局の送信回路により、第１のＤＲＸパラメータ構成を含む無線リソース制御（ＲＲＣ）構成を提供するステップと、上記基地局の上記送信回路により、第２のＤＲＸパラメータ構成を含む上記ＲＲＣ構成を提供するステップとを含み、上記第１のＤＲＸパラメータ構成は、第１の単位を有する第１のＤＲＸパラメータを構成し、上記第２のＤＲＸパラメータ構成は、第２の単位を有する第２のＤＲＸパラメータを構成し、上記第１の単位はミリ秒であり、上記第２の単位はスロットまたはシンボルである。
【００２４】
上記第３の態様の一実施形態によると、上記第１の単位の第１の持続時間は固定されており、上記第２の単位の第２の持続時間はスケーラブルであり、上記第２の単位の第２の持続時間の決定は、上記第２のＤＲＸパラメータが適用される帯域幅部分（ＢＷＰ）のフレーム構造に基づく。
【００２５】
上記第３の態様の別の実施形態によると、上記フレーム構造が、サブキャリア間隔に基づいて決定される。
【００２６】
上記第３の態様の別の実施形態によると、上記第２の単位の第２の持続時間は、各構成されたＢＷＰに関するＢＷＰインジケータおよび事前に構成されたサブキャリア間隔インジケータに基づいて、データ送信スケジューリングごとにスケーリングされる。
【００２７】
上記第３の態様の別の実施形態によると、上記第１の単位はサブミリ秒である。
【００２８】
上記第３の態様の別の実施形態によると、上記第１のＤＲＸパラメータおよび上記第２のＤＲＸパラメータのうちの少なくとも１つが、ｄｒｘ−ｏｎＤｕｒａｔｉｏｎＴｉｍｅｒ、ｄｒｘ−ＳｈｏｒｔＣｙｃｌｅ、ｄｒｘ−ＬｏｎｇＣｙｃｌｅＳｔａｒｔＯｆｆｓｅｔ、ｄｒｘ−ＩｎａｃｔｉｖｉｔｙＴｉｍｅｒ、ｄｒｘ−ＨＡＲＱ−ＲＴＴ−ＴｉｍｅｒＤＬ、ｄｒｘ−ＨＡＲＱ−ＲＴＴ−ＴｉｍｅｒＵＬ、ｄｒｘ−ＲｅｔｒａｎｓｍｉｓｓｉｏｎＴｉｍｅｒＤＬ、または、ｄｒｘ−ＲｅｔｒａｎｓｍｉｓｓｉｏｎＴｉｍｅｒＵＬを含む。
【００２９】
上記第３の態様の別の実施形態によると、上記第２のＤＲＸパラメータは、物理的ダウンリンク制御チャネル（ＰＤＣＣＨ）またはグループ共通（ＧＣ）−ＰＤＣＣＨを通じて、上記基地局によって提供され、上記第２の単位の第２の持続時間は、さらに、上記ＰＤＣＣＨまたはＧＣ−ＰＤＣＣＨにおける、スロット／シンボルフォーマット情報（ＳＦＩ）または無線リソースフォーマットインジケーションに基づいている。
【００３０】
上記第３の態様の別の実施形態によると、上記第１のＤＲＸパラメータは、上記ＤＲＸ動作のＯＮ／ＯＦＦサイクルに基づいて構成され、上記第２のＤＲＸパラメータは、再構成可能であり、上記ＤＲＸ動作の１つまたは複数のＯＮサイクル中に上記基地局によって提供される。
【００３１】
上記第３の態様の別の実施形態によると、上記基地局は、１つまたは複数の、サブキャリア、サブバンド、またはＢＷＰにおいて第２のＤＲＸパラメータを提供する。
【００３２】
上記第３の態様の別の実施形態によると、上記第２のＤＲＸパラメータは、周期的に、またはデータ送信スケジューリングごとに、上記基地局によって再構成可能である。
〔図面の簡単な説明〕
添付の図面と共に読むと、以下の詳細な説明から、例示的な開示の態様が最も良く理解される。様々な特徴は一定の縮尺では描かれておらず、様々な特徴の寸法は、詳解を明確にするために任意に増減される場合がある。
【００３３】
図１は、本出願の例示的な実施形態に係る、制御チャネルアーキテクチャを示す概略図である。
【００３４】
図２Ａは、本出願の例示的な実施形態に係る、グループ共通物理的ダウンリンク制御チャネル（ＧＣ−ＰＤＣＣＨ）リソースのための制御リソースセット（ＣＯＲＥＳＥＴ）構成を示す図である。
【００３５】
図２Ｂは、本出願の例示的な実施形態に係る、ＰＤＣＣＨリソースのためのＣＯＲＥＳＥＴ構成を示す図である。
【００３６】
図３は、本出願の例示的な実施形態に係る、固定時期単位を有する要素と、スケーラブル計時単位を有する要素とを有するフレーム構造を示す概略図である。
【００３７】
図４は、本出願の例示的な実施形態に係る、フレーム構造を示す概略図である。
【００３８】
図５は、本出願の例示的な実施形態に係る、２段階ＤＲＸ動作チャネルを示す図である。
【００３９】
図６は、本出願の例示的な実施形態に係る、制御チャネル監視を示す図である。
【００４０】
図７は、本出願の例示的な実施形態に係る、ＲＴＴタイマー（ＲＴＴ  Ｔｉｍｅｒ）および関連動作を示す図である。
【００４１】
図８Ａは、本出願の例示的な実施形態に係る、ＤＲＸ動作のためのＵＥによる方法を示すフローチャートである。
【００４２】
図８Ｂは、本出願の例示的な実施形態に係る、ＤＲＸ動作のための基地局による方法を示すフローチャートである。
【００４３】
図９は、本出願の例示的な実施形態に係る、無線通信のためのノードを示すブロック図である。
〔発明を実施するための形態〕
以下の説明は、本開示における例示的な実施形態に関連する特定の情報を含む。本開示における図面およびそれらの添付の詳細な説明は、単に例示的な実施形態を対象としている。しかし、本開示は、これらの例示的な実施形態のみに限定されるものではない。本開示の他の変形および実施形態は、当業者には想起されるであろう。特に断らない限り、複数の図中の同様のまたは対応する要素は、同様のまたは対応する参照番号によって示され得る。さらに、本開示における図面および例示は、ほとんどの場合、一定の縮尺ではなく、実際の相対的な寸法に対応することを意図していない。
【００４４】
一貫性および容易な理解のために、同様の特徴は（いくつかの例では、図示されていないが）、例示的な図では数字によって識別される。しかし、異なる実施形態における特徴は、他の点で異なっていてもよく、したがって、図面に示されるものに狭く限定されるものではない。 
【００４５】
本明細書では、「一実施形態では」または「いくつかの実施形態では」という語句を使用するが、これらの語句はそれぞれ、同じ実施形態または異なる実施形態のうちの１つまたは複数を指すことがある。「結合された（ｃｏｕｐｌｅｄ）」という用語は、直接的であろうと、介在する構成要素を介して間接的であろうと、接続されたものとして定義され、必ずしも物理的接続に限定されない。「〜を備える（ｃｏｍｐｒｉｓｉｎｇ）」という用語が使用される場合、「〜を含む（ｉｎｃｌｕｄｅ）が、必ずしもこれに限定されない」ことを意味する。「〜を備える（ｃｏｍｐｒｉｓｉｎｇ）」は、特に、そのように記載された組み合わせ、グループ、シリーズ、および均等物における非制限的な包含、または、メンバーシップを示す。
【００４６】
さらに、説明および非限定の目的のために、機能エンティティ、技法、プロトコル、標準などの具体的な詳細が、説明される技術の理解を実現するために記載される。他の例では、不必要な詳細で説明を不明瞭にしないように、周知の方法、技術、システム、アーキテクチャなどの詳細な説明は省略される。 
【００４７】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアの実装は、例えばメモリまたは他の種類の記憶装置などのコンピュータ読み取り可能媒体に記憶されたコンピュータ実行可能命令を含んでいてもよい。例えば、通信処理能力を有する１つまたは複数のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、および／または、プログラマブルロジックアレイでできていてもよい、かつ／または、１つまたは複数のデジタルシグナルプロセッサ（ＤＳＰ）を用いてできていてもよい。本明細書に記載されている例示的な実施形態のうちのいくつかは、コンピュータハードウェアにインストールされて該ハードウェア上で実行されるソフトウェアを対象としているが、ファームウェアとして、あるいは、ハードウェアまたはハードウェアとソフトウェアとの組み合わせとして実行される代替の例示的な実施形態は十分に本開示の範囲内のものである。
【００４８】
コンピュータ読み取り可能媒体としては、ランダムアクセスメモリ（ＲＡＭ）、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ（登録商標））、フラッシュメモリ、コンパクトディスク読取り専用メモリ（ＣＤ  ＲＯＭ）、磁気カセット、磁気テープ、磁気ディスク記憶装置、またはコンピュータ読み取り可能命令を記憶することができる任意の他の同等の媒体が挙げられるが、これらに限定されない。 
【００４９】
無線通信ネットワークアーキテクチャ（例えば、ロングタームエボリューション（ＬＴＥ）システム、ＬＴＥアドバンスト（ＬＴＥ−Ａ）システム、またはＬＴＥアドバンストＰｒｏシステム）は、少なくとも１つの基地局、少なくとも１つのユーザ装置（ＵＥ）、およびネットワークへの接続を実現する１つまたは複数の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセスネットワーク（Ｅ−ＵＴＲＡＮ）、次世代コア（ＮＧＣ）、５Ｇコアネットワーク（５ＧＣ）またはインターネット）と、上記基地局によって構築された無線アクセスネットワーク（ＲＡＮ）を通じて、通信する。
【００５０】
なお、本出願において、ＵＥとしては、移動局、携帯端末または携帯機器、ユーザ通信無線端末が挙げられるが、これらに限定されない。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１つまたは複数のセルと、エアー・インターフェース上で、信号を送受信するよう構成されている。
【００５１】
基地局は、ＵＭＴＳにおけるようなノードＢ（ＮＢ）、ＬＴＥ−Ａにおいてみられるような発展型ノードＢ（ｅＮＢ）、ＵＭＴＳにおいてみられるような無線ネットワークコントローラ（ＲＮＣ）、ＧＳＭ／ＧＥＲＡＮにおいてみられるような基地局コントローラ（ＢＳＣ）、５ＧＣに関連するＥ−ＵＴＲＡ基地局においてみられるようなＮＧ−ｅＮＢ、５Ｇ−ＲＡＮにおいてみられるような次世代ノードＢ（ｇＮＢ）、およびセル内の無線通信を制御し、無線リソースを管理することができる任意の他の装置を含み得るが、これらに限定されない。基地局は、ネットワークへの無線インターフェースを介して１つまたは複数のＵＥにサービスを提供するように接続し得る。
【００５２】
基地局は、以下の無線アクセス技術（ＲＡＴ）のうちの少なくとも一つに従って、通信サービスを提供するように構成されてもよい。上記無線アクセス技術（ＲＡＴ）としては、世界相互運用マイクロ波アクセス（ＷｉＭＡＸ）、グローバルモバイル通信システム（ＧＳＭ（登録商標）、２Ｇと称されることが多い）、ＧＳＭ  ＥＤＧＥ無線アクセスネットワーク（ＧＥＲＡＮ）、汎用パケット無線サービス（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセス（ＨＳＰＡ）、ＬＴＥ、ＬＴＥ−Ａ、ｅＬＴＥ（進化版ＬＴＥ）、新無線（ＮＲ、５Ｇと称されることが多い）および／またはＬＴＥ−Ａ  Ｐｒｏが挙げられる。しかし、本出願の範囲は、上述のプロトコルに限定すべきではない。
【００５３】
基地局は、無線アクセスネットワークを形成する複数のセルを使用して、特定の地理的エリアに無線カバレッジを提供するように動作可能である。基地局は、セルの動作をサポートする。各セルは、該セルの無線カバレッジ内の少なくとも１つのＵＥにサービスを提供するように動作可能である。より具体的には、各セル（しばしばサービングセルと称される）は、該セルの無線カバレッジ内の１つまたは複数のＵＥにサービスを提供する（例えば、各セルは、ダウンリンクおよび任意でアップリンクパケット送信のために、上記セルの無線カバレッジ内の少なくとも１つのＵＥにダウンリンクおよび任意でアップリンクリソースをスケジューリングする）。基地局は、複数のセルを介して無線通信システム内の１つまたは複数のＵＥと通信することができる。セルは、近接サービス（ＰｒｏＳｅ）をサポートするために、サイドリンク（ＳＬ）リソースを割り当ててもよい。各セルは、他のセルと重複するカバレージ領域を有してもよい。
【００５４】
上述のように、次世代（例えば、５Ｇ  ＮＲ）無線通信ネットワークのフレーム構造は、高信頼性、高データ速度、および低レイテンシ要件を満たしながら、ｅＭＢＢ、ｍＭＴＣ、ＵＲＬＬＣなどの様々な次世代通信要件に対応するためのフレキシブルな構成をサポートする。３ＧＰＰで合意された直交周波数分割多重（ＯＦＤＭ）技術は、ＮＲ波形のための基準として機能し得る。アダプティブサブキャリア間隔、チャネル帯域幅、およびサイクリックプレフィックス（ＣＰ）などのスケーラブルＯＦＤＭニューメロロジー（数秘学）も使用してもよい。さらに、ＮＲには（１）低密度パリティ検査（ＬＤＰＣ）符号および（２）ポーラ符号の２つの符号化方式が考えられる。符号化スキーム適応は、チャネル条件および／またはサービスアプリケーションに基づいて構成され得る。
【００５５】
さらに、単一のＮＲフレームの送信時間間隔ＴＸ、ダウンリンク（ＤＬ）送信データ、ガード期間、およびアップリンク（ＵＬ）送信データが少なくとも含まれるべきであり、ＤＬ送信データ、ガード期間、ＵＬ送信データのそれぞれの部分もまた、例えば、ＮＲのネットワークダイナミクスに基づいて構成可能であるべきであると考えられる。さらに、サイドリンクリソースは、ＰｒｏＳｅサービスをサポートするためにＮＲフレームで提供されてもよい。
【００５６】
３ＧＰＰの議論の下では、次世代（例えば、５Ｇ  ＮＲ）無線通信ネットワークの物理層は、セル内のすべてのＵＥのための物理的ダウンリンク制御チャネル（ＰＤＣＣＨ）だけでなく、セル内のＵＥの一部のためのグループ共通ＰＤＣＣＨ（ＧＣ−ＰＤＣＣＨ）も含む。
【００５７】
図１は、本出願の例示的な実施形態に係る、制御チャネルアーキテクチャを示す概略図である。略図１００において、制御ゾーン１０２は、少なくとも１つのＰＤＣＣＨ（例えば、ＰＤＣＣＨ１０８）を含む。本実施形態では、制御ゾーン１０２に少なくとも１つのＧＣ−ＰＤＣＣＨ（例えば、ＧＣ−ＰＤＣＣＨ１０４）も配置してもよい。別の実施形態では、ＧＣ−ＤＣＣＨ（複数可）が他の制御領域に配置されてもよい。
【００５８】
一実施形態では、ＧＣ−ＰＤＣＣＨ１０４は、矢印１２０Ａによって示されるように、１つまたは複数のＵＥがＰＤＣＣＨ１０８を復号することを可能にする情報を含み得る。別の実施形態では、ＧＣ−ＰＤＣＣＨ  ＣＯＲＥＳＥＴ１０６が、矢印１２０Ｂによって示されるように、１つまたは複数のＵＥがデータ１１４をデータゾーン１１２内で直接受信するための情報を含み得る。別の実施形態では、ＰＤＣＣＨ  ＣＯＲＥＳＥＴ１１０が、矢印１２０Ｃによって示されるように、１つまたは複数のＵＥがデータゾーン１１２内の１つまたは複数の物理的ダウンリンク共有チャネル（ＰＤＳＣＨ）を通じてデータ（例えば、データ１１６）を受信するための情報を含むことができる。さらに、ＧＣ−ＰＤＣＣＨ（例えば、ＧＣ−ＰＤＣＣＨ１０４）は、セル内のＵＥ群の制御情報をさらに含んでいてもよい。この制御情報は、スロットフォーマット関連情報およびスロット／シンボルフォーマットインジケータ／情報（ＳＦＩ）を含む。ＳＦＩは、スロット当たりのダウンリンク（ＤＬ）およびアップリンク（ＵＬ）シンボルの数、サブフレーム当たりのスロットの数、および／またはスロット長を含み得る。図１はＧＣ−ＰＤＣＣＨ  ＣＯＲＥＳＥＴ１０６およびＰＤＣＣＨ  ＣＯＲＥＳＥＴ１１０がそれぞれ、ＧＣ−ＰＤＣＣＨ１０４およびＰＤＣＣＨ１０８に含まれることを示している。しかし、別の実施形態では、ＵＥがＧＣ−ＰＤＣＣＨ１０４およびＰＤＣＣＨ１０８のそれぞれを配置することを可能にするリソース（例えば、時間および周波数）割り当て情報をＧＣ−ＰＤＣＣＨ  ＣＯＲＥＳＥＴ１０６およびＰＤＣＣＨ  ＣＯＲＥＳＥＴ１１０が含み得る。そのような場合、ＧＣ−ＰＤＣＣＨ  ＣＯＲＥＳＥＴ１０６およびＰＤＣＣＨ  ＣＯＲＥＳＥＴ１１０は、それぞれ、ＧＣ−ＰＤＣＣＨ１０４およびＰＤＣＣＨ１０８に含まれなくてもよい。
【００５９】
図１から分かるように、次世代（例えば、５Ｇ  ＮＲ）無線通信ネットワークの下でのダウンリンク制御チャネル監視動作は、（ｅ）ＬＴＥネットワークにおける動作よりも柔軟性がある。例えば、基地局は、ＵＥ固有のＣＯＲＥＳＥＴ構成を介してＵＥのダウンリンク制御チャネル監視動作を構成することができる。様々な実施形態において、ＣＯＲＥＳＥＴ構成は、ダウンリンク制御情報（ＤＣＩ）などの情報をＵＥが取得し得る、制御チャネル内の特定の領域（例えば、特定の時間および／または周波数リソース）、および／または、ブラインド復号オーバーヘッドを回避するためにＵＥが監視する必要がある、ＧＣ−ＰＤＣＣＨまたはＰＤＣＣＨ内の特定の領域（例えば、時間および周波数リソース）を含み得るが、これらに限定されない。
【００６０】
図２Ａおよび図２Ｂは、それぞれ、本出願の例示的な実施形態に係る、ＧＣ−ＰＤＣＣＨ  ＣＯＲＥＳＥＴ構成およびＰＤＣＣＨ  ＣＯＲＥＳＥＴ構成を示す。図２Ａに示されるように、ＵＥは、略図２００ＡのＧＣ−ＰＤＣＣＨ２０４に対するリソース割り当てを示すＧＣ−ＰＤＣＣＨ  ＣＯＲＥＳＥＴ構成２０３を備え得る。図２Ｂでは、ＵＥがＰＤＣＣＨ２０８のためのリソース割り当てを示すＰＤＣＣＨ  ＣＯＲＥＳＥＴ構成２０７を備え得る。なお、ＧＣ−ＰＤＣＣＨ  ＣＯＲＥＳＥＴ構成２０３とＰＤＣＣＨ  ＣＯＲＥＳＥＴ構成２０７との両方が、ＲＲＣシグナリングを介して構成されることができる。別の実施形態では、ＧＣ−ＰＤＣＣＨ  ＣＯＲＥＳＥＴ構成２０３がＲＲＣシグナリングを介して構成され得、ＰＤＣＣＨ  ＣＯＲＥＳＥＴ構成２０７がＧＣ−ＰＤＣＣＨ  ＣＯＲＥＳＥＴ（例えば、図１のＧＣ−ＰＤＣＣＨ  ＣＯＲＥＳＥＴ１０６）に含まれ得る。
【００６１】
図３は、本出願の例示的な実施形態に係る、固定計時単位を有する要素と、スケーラブル計時単位を有する要素とを有するフレーム構造を示す概略図である。略図３００に示すように、次世代（例えば、５Ｇ  ＮＲ）無線通信ネットワークでは、異なるサブキャリア／帯域幅部分（ＢＷＰ）／サブバンドが異なるスロット長を有する基地局（例えば、ｇＮＢ）によって構成され得る。ＵＥは、複数のサブキャリア／ＢＷＰ／サブバンドを同時に監視するように構成され得、上記複数のサブキャリア／ＢＷＰ／サブバンドの各々はサブフレーム内で異なるスロット長を有し得る。ＢＷＰ３３０のサブキャリア間隔がＢＷＰ３４０のサブキャリア間隔とは異なり得るので、略図３００から分かるように、ＢＷＰ３３０のスロット長３３２は、ＢＷＰ３４０のスロット長３４２とは異なる。別の実施形態では、基地局によって、ＵＥが単一のサブキャリア／ＢＷＰ／サブバンドを監視するように構成され得る。図３では、サブフレーム１〜サブフレームｎがそれぞれ、例えば、ミリ秒（ｍｓ）またはサブミリ秒の固定時間単位を有する固定時間長（持続時間）を有することができる。一方で、ＢＷＰ３３０およびＢＷＰ３４０における、スロット長（持続時間）の各々が、例えば、スロットまたはシンボルのスケーラブル時間単位を有するので、各スロット長（持続時間）は異なり得る。
【００６２】
さらに、次世代（例えば、５Ｇ  ＮＲ）無線通信ネットワークは、クロススロットスケジューリングをサポートしてもよい。上記クロススロットスケジューリングにおいて、基地局は、ＰＤＳＣＨ受信に対応するＰＤＣＣＨスケジューリング情報を送信したスロットとは異なるスロットにおいてＰＤＳＣＨ受信を実行するようにＵＥをスケジューリングすることができる。
【００６３】
上述のように、次世代（例えば、５Ｇ  ＮＲ）無線通信ネットワークでは、固定時間単位（ＦＴＵ）およびスケーラブル時間単位（ＳＴＵ）の２つのタイプの時間単位が存在し得る。本出願の様々な実施形態では、サブフレーム、フレーム、およびハイパーフレームは、ＦＴＵを有していてもよく、スロットおよびシンボルはＳＴＵを有していてもよい。例えば、サブフレームは、１ｍｓの固定時間長（持続時間）を有していてもよく、フレームは１０ｍｓの固定時間長（持続時間）を有していてもよく、ハイパーフレームは、１０２４０ｍｓである１０２４フレームの固定時間長（持続時間）を有していてもよい。（ｅ）ＬＴＥネットワークとは異なり、５Ｇ  ＮＲネットワークにおけるスロット長（持続時間）は、サブキャリア／ＢＷＰ／サブバンド間のシンボル長の差に起因して、固定値ではない場合がある。一スロット内に含まれるシンボルの数は、設定可能であってもスケーラブルであってもよい。例えば、固定数のシンボルを含むスロットの場合、低サブキャリア間隔を有するキャリア上のスロットは、より長いシンボル長、したがって、より長いスロット長をもたらし得る。反対に、高サブキャリア間隔を有するキャリア上のスロットは、より短いシンボル長、したがって、より短いスロット長をもたらし得る。
【００６４】
図３において、ＢＷＰ３３０内のスロット長３３２が３シンボルである場合、シンボルはＳＴＵであるので、ＢＷＰ３３０内のスロットの実際の持続時間を決定するために、ＵＥは、ＢＷＰ３３０内のシンボルのスケーラブルな長さを３倍してもよい。同様に、ＢＷＰ３４０内のスロット長３４２が３シンボルである場合、シンボルはＳＴＵであるので、ＢＷＰ３４０内のスロットの実際の持続時間を決定するために、ＵＥは、ＢＷＰ３４０内のシンボルのスケーラブルな長さを３倍してもよい。一実施形態では、ＢＷＰ３４０内のシンボルのスケーラブルな長さがＢＷＰ３３０内のシンボルのスケーラブルな長さよりも長くなり得る。それによって、図３に示すように、ＢＷＰ３４０内のスロット長３４２の実際の持続時間がＢＷＰ３３０内のスロット長３３２の実際の持続時間よりも長くなる。
【００６５】
図４を参照すると、図４は、本出願の例示的な実施形態に係る、フレーム構造を示す概略図である。略図４００では、シンボル長およびスロット当たりのシンボル数に応じて、各サブフレームに含まれるスロットの数も変数となる。したがって、ＤＲＸ動作内のＧＣ−ＰＤＣＣＨおよび／またはＰＤＣＣＨ監視は、少なくとも本明細書で説明される理由により、次世代（例えば、５Ｇ  ＮＲ）無線通信ネットワーク上の柔軟性に重大な影響を有する。
【００６６】
本出願の様々な実施形態では、ＧＣ−ＰＤＣＣＨおよびＣＯＲＥＳＥＴがサポートされている場合、ＤＲＸ動作を適用することができる。次のセクションでは、次世代（例えば、５Ｇ  ＮＲ）無線通信ネットワークにおけるＤＲＸ動作の以下のケースについて説明する：ＤＲＸ構成、ＤＲＸ動作、ＲＴＴタイマー構成、再送信タイマー構成、およびクロススロットスケジューリング。
【００６７】
ケース１：ＤＲＸ構成 
ケース１の様々な実施形態では、基地局（例えば、ｇＮＢ）は、ＲＲＣシグナリングを介して（例えば、ＲＲＣＲｅｃｏｎｆｉｇｕｒａｔｉｏｎメッセージを介して）、ＤＲＸ構成（ＤＲＸ−Ｃｏｎｆｉｇ）をＵＥに提供し得る。ＤＲＸ−Ｃｏｎｆｉｇは、１つまたは複数のＤＲＸパラメータを含み得る。１つまたは複数のＤＲＸパラメータとしては、ｄｒｘ−ｏｎＤｕｒａｔｉｏｎＴｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ（例えば、ｄｒｘ−ＲｅｔｒａｎｓｍｉｓｓｉｏｎＴｉｍｅｒＤＬおよびｄｒｘ−ＲｅｔｒａｎｓｍｉｓｓｉｏｎＴｉｍｅｒＵＬを含む）、ｄｒｘ−ＬｏｎｇＣｙｃｌｅＳｔａｒｔＯｆｆｓｅｔ、ｄｒｘ−ＳｈｏｒｔＣｙｃｌｅ、ｄｒｘ−ＳｈｏｒｔＣｙｃｌｅＴｉｍｅｒ、および、ＲＴＴ  Ｔｉｍｅｒ（例えば、ｄｒｘ−ＨＡＲＱ−ＲＴＴ−ＴｉｍｅｒＤＬおよびｄｒｘ−ＨＡＲＱ−ＲＴＴ−ＴｉｍｅｒＵＬ）を含むが、これらに限定されない。上述のＤＲＸパラメータの定義は、（ｅ）ＬＴＥネットワークにおいて定義されたものと実質的に同様である。違いには、これらのパラメータの各々が任意に構成されていてもよく、これらのパラメータの単位は、基地局によって構成されるシンボル、スロット、ＰＤＣＣＨ監視期間、または、特定の長さの単位であってもよいことが含まれ得る。いくつかの実施形態では、基地局が、シンボル、スロット、ＰＤＣＣＨ監視期間またはミリ秒の何分の１か（例えば、１／２ｍｓ、１／４ｍｓ、１／８ｍｓ、１／１６ｍｓ、１／３２ｍｓなど）で１つまたは複数のＤＲＸパラメータ（例えば、ｄｒｘ−ｏｎＤｕｒａｔｉｏｎＴｉｍｅｒ、ｄｒｘ−ＨＡＲＱ−ＲＴＴ−ＴｉｍｅｒＤＬ、ｄｒｘ−ＨＡＲＱ−ＲＴＴ−ＴｉｍｅｒＵＬなど）を構成してもよい。
【００６８】
次世代（例えば、５Ｇ  ＮＲ）無線通信ネットワークでは、計時単位およびそのスケーリングを動的に構成することができるので、すべてのＤＲＸパラメータがＦＴＵを用いて構成されるのに適しているわけではない。本出願の様々な実施形態では、次世代（例えば、５Ｇ  ＮＲ）無線通信ネットワークの動的フレーム構造のためのより正確で柔軟なＤＲＸ構成を提供するために、２段階ＤＲＸ機構が説明される。
【００６９】
２段階ＤＲＸ機構では、基地局が、ＦＴＵ（複数可）を有するパラメータとＳＴＵ（複数可）を有するパラメータとにＤＲＸパラメータを分類し、ＦＴＵ（例えば、サブフレーム、フレーム、またはハイパーフレーム）を有するＤＲＸパラメータとＳＴＵ（例えば、スロットまたはシンボル）を有するＤＲＸパラメータとのこれら２つのカテゴリをそれぞれ構成する。なお、基地局はまた、ＵＥ固有のスケーラブル時間単位（例えば、ＳＴＵＵＥ）（複数可）を構成してもよく、該ＵＥ固有のスケーラブル時間単位はスロットまたはシンボル内にあってもよい。さらに、ＤＲＸパラメータは、それらの用法に基づいて分類することもできる。例えば、１つの用法は、ＤＲＸ  ＯＮ／ＯＦＦサイクル（例えば、ｄｒｘ−ｏｎＤｕｒａｔｉｏｎＴｉｍｅｒ、ｄｒｘ−ＳｈｏｒｔＣｙｃｌｅ、ｄｒｘ−ＳｈｏｒｔＣｙｃｌｅＴｉｍｅｒおよび／またはｄｒｘ−ＬｏｎｇＣｙｃｌｅＳｔａｒｔＯｆｆｓｅｔなど）に関連していてもよい。別の用法は、データ（再）送信（例えば、ｄｒｘ−ＩｎａｃｔｉｖｉｔｙＴｉｍｅｒ、ｄｒｘ−ＨＡＲＱ−ＲＴＴ−ＴｉｍｅｒＤＬ、ｄｒｘ−ＨＡＲＱ−ＲＴＴ−ＴｉｍｅｒＵＬ、ｄｒｘ−  ｄｒｘ−ＲｅｔｒａｎｓｍｉｓｓｉｏｎＴｉｍｅｒＤＬ、およびｄｒｘ−ＲｅｔｒａｎｓｍｉｓｓｉｏｎＴｉｍｅｒＵＬなど）に関連していてもよい。分類の略語を表１にまとめる。
【００７０】
【表１】
0006938809.tif 000002
【００７１】
なお、ｄｒｘ−ＳｈｏｒｔＣｙｃｌｅＴｉｍｅｒの単位は、データが到着しない短いＤＲＸサイクルの数なので、パラメータｄｒｘ−ＳｈｏｒｔＣｙｃｌｅＴｉｍｅｒは、計時単位に対して不規則／非周期的であり得る。例えば、ｄｒｘ−ＳｈｏｒｔＣｙｃｌｅＴｉｍｅｒの値＝３の場合、単位は短いＤＲＸサイクルの数（例えば、３サイクル）である。したがって、パラメータｄｒｘ−ＳｈｏｒｔＣｙｃｌｅＴｉｍｅｒは、ＦＴＵおよびＳＴＵから独立して構成してもよい。
【００７２】
ケース１．１において、基地局はＰＷＦＣを構成し、ＲＲＣシグナリングを介してＰＷＦＣをＵＥに提供する。ＵＥは、ＰＷＦＣに基づいてＯＮサイクル毎に起動して、基地局からＰＷＳＴを受信するための各スロット（複数可）または事前に設定されたスロット（複数可）内の制御ゾーン（例えば、ＧＣ−ＰＤＣＣＨまたはＰＤＣＣＨ）を監視する。例えば、（例えば、ＵＥのＣ−ＲＮＴＩによってスクランブルされた）ＵＥ固有ＤＣＩコンテンツが現れると、該ＵＥ固有ＤＣＩコンテンツがＰＷＳＴ構成を示し得る。なお、ＵＥ固有ＤＣＩは任意のＯＮサイクル中に発生することができ、ＵＥ固有ＤＣＩが受信されると、ＰＷＳＴ構成がＵＥによって適用される。例えば、ＯＮサイクルがＮ番目のサブフレームで開始した後、ＰＷＳＴ構成を示すＵＥ固有ＤＣＩが、Ｎ番目のサブフレーム＋ニューメロロジーに対応するｎ個のシンボル／スロットで発生する。次に、ＵＥは、Ｎ番目のサブフレーム＋ｎ個のシンボル／スロットで、ｄｒｘ−ＩｎａｃｔｉｖｉｔｙＴｉｍｅｒを適用する（例えば、タイマーを始動させる）。基地局は、ＯＮサイクル内にＰＷＳＴ構成を変更することができ、該ＯＮサイクルで、後の構成が現れると、後の構成は前の構成を上書きできる。
【００７３】
ケース１．２において、ケース１．１と同様に、基地局は、ＤＲＸ動作の前にＰＷＦＣを構成し、ＲＲＣシグナリングを介してＰＷＦＣをＵＥに提供する。ＵＥは、ＰＷＦＣに基づいてＯＮサイクル毎に起動して、基地局からＰＷＳＴを受信するための各スロット（複数可）または事前に設定されたスロット（複数可）内の制御ゾーン（例えば、ＧＣ−ＰＤＣＣＨまたはＰＤＣＣＨ）を監視する。ケース１．１とは異なり、ケース１．２において、基地局は、上記ＰＷＦＣの現在のＯＮサイクル内でＳＴＵを有するＰＷＳＣが使用される場合、該現在のＯＮサイクル内でＳＴＵを有するＰＷＳＣを有する別の固有のＯＮ／ＯＦＦサイクル関連パラメータセットを任意に構成する。
【００７４】
ケース１．３において、基地局はＰＷＦＣを構成し、ＲＲＣシグナリングを介してＰＷＦＣをＵＥに提供する。基地局は、ＵＥに対して複数のＰＷＳＴセットも構成し、ＲＲＣシグナリングを介してＵＥに該複数のＰＷＳＴセットを提供する。ここで、各セットは固有のインデックス値（例えば、ＰＷＳＴインデックス）を割り当てられ得る。例えば、基地局が３種類のフレーム構造を有する場合、基地局は、該３種類のフレーム構造に対応する３つのＰＷＳＴセットをＵＥに提供する。ＵＥは、基地局によって構成された現フレーム構造に基づいて、複数のＰＷＳＴセットのうちの１つを適用する。さらに、基地局によって構成された複数のＰＷＳＴセットのうちで、ＰＷＳＴセットの１つを、デフォルトＰＷＳＴセットに割り当てることができる。
【００７５】
ケース１．４において、基地局は、複数のＰＷＳＣセットおよびＰＷＳＴセットを構成し、ＲＲＣシグナリングを介してＵＥに該複数のＰＷＳＣセットおよびＰＷＳＴセットを提供する。各ＰＷＳＣセットまたは各ＰＷＳＴセットは、特定の種類のフレーム構造に対応する。ＵＥは、基地局によって構成された現フレーム構造に基づいて、上述の複数のＰＷＳＣセットまたはＰＷＳＴセットのうちの１つを適用する。
【００７６】
ケース１．５において、基地局は、複数のＰＷＦＣセットおよびＰＷＳＴセットを構成し、ＲＲＣシグナリングを介してＵＥに該複数のＰＷＦＣセットおよびＰＷＳＴセットを提供する。各ＰＷＦＣセットまたは各ＰＷＳＴセットは、特定の種類のフレーム構造に対応する。
【００７７】
ケース１．６において、基地局は、ＰＷＳＴを構成し、ＤＲＸ動作の前にＲＲＣシグナリングを介してＰＷＳＴをＵＥに提供する。基地局は、ＵＥに対して複数のＰＷＦＣセットをも構成し、ＤＲＸ動作の前に、ＲＲＣシグナリングを介して該複数のＰＷＦＣセットをＵＥに提供する。ここで、各セットは固有のインデックス値（例えば、ＰＷＦＣインデックス）を割り当てられ得る。各ＰＷＦＣセットは、ある種類のフレーム構造に対応する。ＵＥは、基地局によって構成された現フレーム構造に基づいて、上記複数のＰＷＦＣセットうちの一つを適用する。
【００７８】
ケース１．７において、基地局は、ＰＷＦとＰＷＳとの両方を構成し、ＲＲＣシグナリングを介してそれらをＵＥに提供する。上記ＰＷＦおよびＰＷＳを有するＤＲＸパラメータ構成を受信した後、ＵＥは、現フレーム構造を参照して（例えば、スロット長またはシンボル長を参照して）、ＰＷＳＴを適用することができる。例えば、基地局は、ＵＥに対してｄｒｘ−ＩｎａｃｔｉｖｉｔｙＴｉｍｅｒをＸ個のスロットで設定することができる。データ送信が発生すると、ＵＥは、基地局によって構成された現在のスロット長のＸ倍の長さに、ｄｒｘ−ＩｎａｃｔｉｖｉｔｙＴｉｍｅｒを設定することができる。
【００７９】
なお、ＵＥは、その送信のために適用されるサブバンド／ニューメロロジー／ＢＷＰ／コンポーネントキャリアの数にかかわらず、ＲＲＣエンティティごとに１つの構成を維持する。これは、ＵＬ／ＤＬデータ送信が発生していない場合、ＵＥは、サブフレーム、フレームまたはハイパーフレームの単位で構成されたＰＷＦＣに基づいて、ＤＲＸのＯＮ／ＯＦＦ切り替えのみを行い得ることを意味する。しかし、データ送信が行われた場合、かつ／またはデータ復号エラーが発生した場合、ＵＥは、ＰＷＳＣを用いて、対応するタイマー（複数可）（例えば、ｄｒｘ−ＩｎａｃｔｉｖｉｔｙＴｉｍｅｒ、ＲＴＴ  Ｔｉｍｅｒおよび／またはｄｒｘ−ＲｅｔｒａｎｓｍｉｓｓｉｏｎＴｉｍｅｒ）を動作させ、基地局によって現在構成／割り当てされたシンボル長またはスロット長の時間単位に基づいて、これらのタイマーカウントを行い得る。
【００８０】
ケース２：ＤＲＸ動作
ケース１の様々な実施形態について、２段階ＤＲＸ動作の詳細を以下に説明する。
【００８１】
ケース２．１：ケース１．１のＤＲＸ動作
ケース２．１において、ケース１．１の２状態ＤＲＸ動作を以下に説明する。
【００８２】
ケース２．１．Ａにおいて、基地局がＰＷＦＣのみを構成し、ＤＲＸ動作前にＲＲＣシグナリングを介してＰＷＦＣをＵＥに提供する場合、ＵＥは、ＰＷＳＴを受信するために、ＰＷＦＣに基づいてＯＮサイクル毎に起動する。例えば、ＰＷＦＣによって構成されたＯＮサイクルがＮ番目のサブフレームで始まり、ＰＷＳＴを示さないＵＥ固有ＤＣＩが、Ｎ番目のサブフレーム＋ニューメロロジーに対応するｎ個のシンボル／スロットで発生すると、ＵＥは、基地局から送信されたデータがある場合であっても、Ｎ番目のサブフレーム＋ｎ個のシンボル／スロットではｄｒｘ−ＩｎａｃｔｉｖｉｔｙＴｉｍｅｒを適用しない。また、ＲＴＴ  Ｔｉｍｅｒおよびｄｒｘ−ＲｅｔｒａｎｓｍｉｓｓｉｏｎＴｉｍｅｒは、データ復号エラーが発生しても適用されない。別の実施形態では、ＵＥ固有ＤＣＩがＰＷＳＴなしで受信されると、ＵＥは、対応するｄｒｘ−ＩｎａｃｔｉｖｉｔｙＴｉｍｅｒ、ＲＴＴ  Ｔｉｍｅｒ、およびｄｒｘ−ＲｅｔｒａｎｓｍｉｓｓｉｏｎＴｉｍｅｒを作動させるために、前回のＯＮサイクルで受信されたＰＷＳＴ、または、これまでに受信されたＰＷＳＴを適用してもよい。
【００８３】
ケース２．１．Ｂにおいて、ケース２．１．Ａと同様に、ＰＷＦＣは基地局によってＵＥに対して構成され、ＵＥは、ＰＷＳＴを受信するために、ＰＷＦＣに基づいて、ＯＮサイクル毎に起動する。ＰＷＳＴを有するＵＥ固有ＤＣＩが、Ｎ番目のサブフレーム＋ニューメロロジーに対応するｎ個のシンボル／スロットで発生すると、ＵＥは、Ｎ番目のサブフレーム＋ｎ個のシンボル／スロットで、ｄｒｘ−ＩｎａｃｔｉｖｉｔｙＴｉｍｅｒを適用する（例えば、タイマーを開始する）。別のＰＷＳＴセットを示す別のＵＥ固有ＤＣＩが、Ｎ＋Ｍ番目のサブフレーム＋対応するニューメロロジーのｍ個のシンボル／スロットで発生すると、ＵＥは、最新のＰＷＳＴによって動作される必要があるｄｒｘ−ＩｎａｃｔｉｖｉｔｙＴｉｍｅｒの有効期限が前のものよりも長い場合にのみ、Ｎ＋Ｍ番目のサブフレーム＋対応するニューメロロジーのｍ個のシンボル／スロットで、ｄｒｘ−ＩｎａｃｔｉｖｉｔｙＴｉｍｅｒを再始動する。
【００８４】
ケース２．１．Ｃにおいて、ケース２．１．Ｂと同様に、ＰＷＦＣは基地局によってＵＥに対して構成され、ＵＥは、ＰＷＳＴを受信するために、ＰＷＦＣに基づいて、ＯＮサイクル毎に起動する。ＰＷＳＴを示すＵＥ固有ＤＣＩが、Ｎ番目のサブフレーム＋対応するニューメロロジーのｎ個のシンボル／スロットで発生すると、ＵＥは、Ｎ番目のサブフレーム＋ｎ個のシンボル／スロットで、ｄｒｘ−ＩｎａｃｔｉｖｉｔｙＴｉｍｅｒを適用する（例えば、タイマーを開始する）。別のＰＷＳＴセットを示す別のＵＥ固有ＤＣＩが、Ｎ＋Ｍ番目のサブフレーム＋対応するニューメロロジーのｍ個のシンボル／スロットで発生すると、ＵＥは、最新のＰＷＳＴにおける構成に基づいて、Ｎ＋Ｍ番目のサブフレーム＋対応するニューメロロジーのｍ個のシンボル／スロットで、ｄｒｘ−ＩｎａｃｔｉｖｉｔｙＴｉｍｅｒを再始動する。
【００８５】
ケース２．１．Ｄにおいて、ケース２．１．Ｂおよびケース２．１．Ｃと同様に、ＵＥが更新されたＰＷＳＴを受信し、最新のＰＷＳＴに基づいて適用されるＲＴＴ  Ｔｉｍｅｒが実行されている間にデータ復号エラーが発生すると、ＵＥはＲＴＴ  Ｔｉｍｅｒを再始動するか、または、最新のＰＷＳＴによって動作される必要があるＲＴＴ  Ｔｉｍｅｒの有効期限が前のものよりも長い場合にのみ、ＲＴＴ  Ｔｉｍｅｒを再始動する。
【００８６】
ケース２．１．Ｅにおいて、基地局はＵＥに対してデフォルトＰＷＳＴを構成する。ＵＥが追加のＰＷＳＴを受信しない場合、ＵＥは、デフォルトＰＷＳＴを適用する。
【００８７】
ケース１．１に関するケース２．１．Ｆにおいて、ＰＷＦＣは、基地局によってＵＥに対して構成され、ＵＥはＰＷＳＴを受信するために、ＰＷＦＣに基づいて、ＯＮサイクル毎に起動する。ＰＷＳＴを示すＵＥ固有ＤＣＩが、サブキャリア／ＢＰ／サブバンド上の、Ｎ番目のサブフレーム＋対応するニューメロロジーのｎ個のシンボル／スロットで発生すると、ＵＥは、Ｎ番目のサブフレーム＋ｎ個のシンボル／スロットで、ｄｒｘ−ＩｎａｃｔｉｖｉｔｙＴｉｍｅｒを適用する（例えば、タイマーを開始する）。次に、別のＰＷＳＴセットを示す別のＵＥ固有ＤＣＩが、別のサブキャリア／ＢＷＰ／サブバンド上の、Ｎ＋Ｍ番目のサブフレーム＋対応するニューメロロジーのｍ個のシンボル／スロットで発生する。その結果、ＵＥは、最新のＰＷＳＴにおける構成に基づいて、あるいは、最新のＰＷＳＴによって動作される必要があるｄｒｘ−ＩｎａｃｔｉｖｉｔｙＴｉｍｅｒの有効期限が前のものよりも長い場合にのみ、Ｎ＋Ｍ番目のサブフレーム＋対応するニューメロロジーのｍ個のシンボル／スロットで、ｄｒｘ−ＩｎａｃｔｉｖｉｔｙＴｉｍｅｒを再始動する。
【００８８】
ケース１．２関するケース２．１．Ｇにおいて、サブキャリア／ＢＷＰ／サブバンドの各々は、同じＰＷＳＴ構成セットを適用してもよい。例えば、サブキャリア／ＢＷＰ／サブバンドのうちの１つにおいて、データ送信が行われた場合、かつ／またはデータ復号エラーが発生した場合、ＵＥは、サブキャリア／ＢＷＰ／サブバンドのスロット長の時間単位に基づいて、対応するタイマー（例えば、ｄｒｘ−ＩｎａｃｔｉｖｉｔｙＴｉｍｅｒ、ＲＴＴ  Ｔｉｍｅｒおよび／またはｄｒｘ−ＲｅｔｒａｎｓｍｉｓｓｉｏｎＴｉｍｅｒ）カウントを行う。なお、サブキャリア／ＢＷＰ／サブバンドのすべてが、同じｄｒｘ−ＩｎａｃｔｉｖｉｔｙＴｉｍｅｒ、ＲＴＴ  Ｔｉｍｅｒおよび／またはｄｒｘ−ＲｅｔｒａｎｓｍｉｓｓｉｏｎＴｉｍｅｒを維持する。したがって、ケース２．１．Ｆと同様に、ＰＷＦＣは、基地局によってＵＥに対して構成され、ＵＥはＰＷＳＴを受信するために、ＰＷＦＣに基づいて、ＯＮサイクル毎に起動する。ＰＷＳＴを示すＵＥ固有ＤＣＩが、サブキャリア／ＢＷＰ／サブバンド上の、Ｎ番目のサブフレーム＋対応するニューメロロジーのｎ個のシンボル／スロットで発生すると、ＵＥは、Ｎ番目のサブフレーム＋ｎ個のシンボル／スロットで、ｄｒｘ−ＩｎａｃｔｉｖｉｔｙＴｉｍｅｒを適用する（例えば、タイマーを開始する）。次に、別のＵＥ固有ＤＣＩが、別のサブキャリア／ＢＰ／サブバンド上の、Ｎ＋Ｍ番目のサブフレーム＋対応するニューメロロジーのｍ個のシンボル／スロットで発生する。その結果、ＵＥは、最新のＰＷＳＴにおける構成に基づいて、あるいは、最新のＰＷＳＴによって動作される必要があるｄｒｘ−ＩｎａｃｔｉｖｉｔｙＴｉｍｅｒの有効期限が前のものよりも長い場合にのみ、Ｎ＋Ｍ番目のサブフレーム＋対応するニューメロロジーのｍ個のシンボル／スロットで、ｄｒｘ−ＩｎａｃｔｉｖｉｔｙＴｉｍｅｒを再始動する（例えば、タイマーを再始動する）。
【００８９】
ケース２．１．Ｈにおいて、ケース２．１．Ｆと同様に、別のＰＷＳＴが第２のサブキャリア／ＢＷＰ／サブバンド上で受信され、前のＰＷＳＴに基づいて適用されたＲＴＴ  Ｔｉｍｅｒが実行されている間に第２のサブキャリア／ＢＷＰ／サブバンド上でデータ復号エラーが発生した場合、ＵＥは、ＲＴＴ  Ｔｉｍｅｒを再始動するか、または、最新のＰＷＳＴによって動作される必要があるＲＴＴ  Ｔｉｍｅｒの有効期限が前のものよりも長い場合にのみ、ＲＴＴ  Ｔｉｍｅｒを再始動する。
【００９０】
ケース２．１．Ｉにおいて、ケース２．１．Ｇと同様に、上記ＲＴＴ  Ｔｉｍｅｒが実行されている間に第２のサブキャリア／ＢＷＰ／サブバンド上でデータ復号エラーが発生した場合、ＵＥは、ＲＴＴ  Ｔｉｍｅｒを再始動するか、または、最新のＰＷＳＴによって動作される必要があるＲＴＴ  Ｔｉｍｅｒの有効期限が前のものよりも長い場合にのみ、ＲＴＴ  Ｔｉｍｅｒを再始動する。
【００９１】
ケース２．２：ケース１．２のＤＲＸ動作
ケース２．２において、ケース１．２の２状態ＤＲＸ動作を以下に説明する。
【００９２】
ケース２．２．Ａにおいて、基地局がＰＷＦＣのみを構成し、ＤＲＸ動作前にＲＲＣシグナリングを介して該ＰＷＦＣをＵＥに提供した（例えば、図５のＰＷＦＣサイクル５０２）場合、ＵＥは、ＰＷＳＴおよび／またはＰＷＳＣを受信するため（例えば、図５のＰＷＳＴおよび／またはＰＷＳＣパターン５０４）に、ＰＷＦＣに基づいてＯＮサイクル毎に起動する。例えば、ＵＥがＯＮサイクル中にＰＷＳＣを受信すると、ＵＥは、（例えば、ＰＷＦＣにおける設定を無視して）ＰＷＦＣのＯＮサイクル内にＤＲＸを実行するために、ＰＷＳＴおよび／またはＰＷＳＣ構成に従う。言い換えると、ＰＷＦＣのＯＮサイクルの持続時間内で、ＵＥが実行する必要がある正確なＯＮ／ＯＦＦ切り替えは、図５の略図５００のＵＥのＤＲＸ動作全体パターン５０６に示されるように、ＰＷＳＣ（例えば、特定のＯＮ／ＯＦＦサイクル関連パラメータ構成セット）に基づく。
【００９３】
ケース２．２．Ａにおいて、基地局が、固定時間単位を有する大まかなＯＮ／ＯＦＦサイクルを構成し、さらに、時間依存性スロット長構成および動的に構成可能なフレーム構造（例えば、サブフレーム当たりのスロット数）に従って、スケーラブル時間単位を有する詳細なＯＮ／ＯＦＦサイクルを割り当てる。ＤＲＸの第２段階のための特定のＯＮ／ＯＦＦサイクル関連パラメータセットは、ＯＮ／ＯＦＦ関連タイマーを含み得る。なお、第２段階構成によって構成されたＯＮサイクル内でデータ送信が行われたか、またはデータ復号エラーが発生した場合、ＵＥは第２段階の構成を有し、現在のシンボル長またはスロット長の時間単位を有するｄｒｘ−ＩｎａｃｔｉｖｉｔｙＴｉｍｅｒ、ＲＴＴ  Ｔｉｍｅｒ、および／またはｄｒｘ−ＲｅｔｒａｎｓｍｉｓｓｉｏｎＴｉｍｅｒを動作し得る。
【００９４】
ケース２．２．Ｂにおいて、基地局がＤＲＸ動作の前に、ＵＥに対してデフォルトＰＷＳＴおよび／またはＰＷＳＣを構成することもできる。ＵＥが追加のＰＷＳＴを受信しない場合、ＵＥは、デフォルトＰＷＳＴおよび／またはＰＷＳＣを適用する。
【００９５】
ケース２．３：ケース１．３のＤＲＸ動作
ケース２．３において、ケース１．３の２状態ＤＲＸ動作を以下に説明する。
【００９６】
ケース２．３．Ａにおいて、基地局は、ＵＥに対して複数のＰＷＳＴセットを構成し、ＵＥに対してＲＲＣシグナリングを介して該複数のＰＷＳＴセットを提供する。ここで、ＰＷＳＴの各セットは固有のインデックス値（例えば、ＰＷＳＴインデックス）を明示的に割り当てられ得る。その後、ＧＣ−ＰＤＣＣＨまたはＰＤＣＣＨ上のＵＥ固有ＤＣＩは、ＰＷＦＣによって構成された１つまたは複数のＯＮサイクル内、または特定の事前に設定された期間内に適用される特定のＰＷＳＴセットに対応するインデックスを示す。ＰＷＳＴセットインデックスは、ＰＷＦＣに基づく各ＯＮサイクルの第１スロットまたは（ＲＲＣシグナリングを介して示される）特定スロットにおける、ＧＣ−ＰＤＣＣＨおよび／またはＰＤＣＣＨのＣＯＲＥＳＥＴ内において、基地局によって示され得る。別の実施形態では、基地局がＲＲＣシグナリングまたはＵＥ固有ＤＣＩを介して、ＰＷＳＴセット（複数可）のインデクス（複数可）を提供し得る。いくつかの実施形態では、基地局からの指示がなければ、ＵＥは、ＰＷＦＣのみに基づいてＤＲＸを動作させることができる。これはｄｒｘ−ＩｎａｃｔｉｖｉｔｙＴｉｍｅｒ、ＲＴＴ  Ｔｉｍｅｒおよびｄｒｘ−ＲｅｔｒａｎｓｍｉｓｓｉｏｎＴｉｍｅｒが動作されないことを意味する。
【００９７】
ケース２．３．Ｂにおいて、基地局が、どのＰＷＳＴセットがＰＷＦＣによって構成された各ＯＮサイクル内または特定の事前に設定された期間内にＵＥによって適用されるべきかを非明示的に示す。基地局は、ＲＲＣシグナリングを介して、または放送チャネル（例えば、現フレ−ム構造関連情報を通知するチャネル）を通して、ＰＷＳＴマッピングテーブルに対してフレーム構造を提供することができる。その後、ＵＥは、構成されたサブバンド／ＢＷＰのニューメロロジー／ＴＴに従って、適切なＰＷＳＴセット適用する。
【００９８】
ケース２．３．Ｃにおいて、基地局は、ＵＥに対してデフォルトＰＷＳＴも構成し得る。ＵＥが追加のＰＷＳＴを受信しない場合、ＵＥは、デフォルトＰＷＳＴを適用する。
【００９９】
ケース２．３．Ｄにおいて、ＤＲＸ動作の前にデフォルトＰＷＳＴがＵＥに対して構成されていない場合、ＵＥはＰＷＦＣのみに基づいてＤＲＸを動作させ得る。これはｄｒｘ−ＩｎａｃｔｉｖｉｔｙＴｉｍｅｒ、ＲＴＴ  Ｔｉｍｅｒ、およびｄｒｘ−ＲｅｔｒａｎｓｍｉｓｓｉｏｎＴｉｍｅｒが動作されないことを意味する。
【０１００】
ケース２．４：ケース１．４のＤＲＸ動作
ケース２．４において、ケース１．４の２状態ＤＲＸ動作を以下に説明する。 
【０１０１】
ケース２．４．Ａにおいて、基地局は、複数のＰＷＳＣセットおよびＰＷＳＴセットを構成し、ＲＲＣシグナリングを介して該複数のＰＷＳＣセットおよびＰＷＳＴセットをＵＥに提供する。基地局は、ＲＲＣシグナリング、ＵＥ固有ＤＣＩ、ＧＣ−ＰＤＣＣＨ、またはＰＤＣＣＨを介して、ＰＷＳＣセットおよびＰＷＳＴセットのうちのどのセットが適用されるべきかをＵＥに明示的に示す。
【０１０２】
ケース２．４．Ｂにおいて、基地局は、複数のＰＷＳＣセットおよびＰＷＳＴセットを構成し、ＲＲＣシグナリングを介して該複数のＰＷＳＣセットおよびＰＷＳＴセットをＵＥに提供する。基地局は、ＰＷＳＣセットおよび／またはＰＷＳＴセットのうちのどのセットがＵＥによって適用されるべきかを非明示的に示す。基地局は、ＲＲＣシグナリングまたは放送チャネル（例えば、現フレ−ム構造関連情報を通知するチャネル）を介して、ＰＷＳＣおよびＰＷＳＴマッピングテーブルに対してフレーム構造を提供し得る。その後、ＵＥは、構成されたサブバンド／ＢＷＰのフレーム構造に従って、適切なＰＷＳＣセットおよび／またはＰＷＳＴセットを適用する。
【０１０３】
ケース２．４．Ｃにおいて、基地局は、ＵＥに対してＰＷＳＣおよびＰＷＳＴデフォルトセットを構成する。ケース１．２のように、フレーム構造が互いに異なっている複数のＢＷＰでＵＥが構成されている場合、ＵＥは、該ＰＷＳＣおよびＰＷＳＴデフォルトセットを適用する。別の実施形態では、メイン／プライマリＢＷＰ、最初に構成されたＢＷＰ、最も長いスロット長を有するＢＷＰ、または最も短いスロット長を有するＢＷＰのフレーム構造に基づいて、ＵＥがＰＷＳＣおよびＰＷＳＴセットを適用してもよい。
【０１０４】
ケース２．５：ケース１．５のＤＲＸ動作
ケース２．５において、ケース１．５の２状態ＤＲＸ動作は、「ＰＷＳＣ」および「ＰＷＳＴ」は、それぞれ「ＰＷＦＣ」および「ＰＷＳＴ」に置き換えられていることを除いて、ケース２．４．Ａ、ケース２．４．Ｂおよびケース２．４．Ｃと実質的に同じ動作をたどる３つのケースを含む。
【０１０５】
ケース２．６：ケース１．６のＤＲＸ動作
ケース２．６において、ケース１．６の２状態ＤＲＸ動作を以下に説明する。
【０１０６】
ケース２．６Ａにおいて、基地局は、どのＰＷＦＣセットがＵＥによって適用されるべきかを非明示的に示す。基地局は、ＲＲＣシグナリングまたは放送チャネル（例えば、現フレ−ム構造関連情報を通知するチャネル）を介して、ＰＷＦＣマッピングテーブルに対してフレーム構造を提供する。そして、ＵＥは、構成されたサブバンド／ＢＷＰのフレーム構造に従って、適切なＰＷＦＣセットを適用する。
【０１０７】
ケース２．６．Ｂにおいて、基地局は、ＤＲＸ動作の前に、ＵＥに対してデフォルトＰＷＦＣも構成し得る。ＵＥが追加のＰＷＳＣを受信しない場合、ＵＥは、デフォルトＰＷＦＣを適用する。
【０１０８】
ケース３：制御チャネル監視
ケース３は、単一段階ＤＲＸ構成または２段階ＤＲＸ構成用のＵＥのＤＲＸ  ＯＮサイクル中のＵＥによるＧＣ−ＰＤＣＣＨおよび／またはＰＤＣＣＨ監視の実施を含む。ケース３では、１つまたは複数のＤＲＸ  ＯＮサイクル内に、（ｉ）すべてのＧＣ−ＰＤＣＣＨおよび／またはＰＤＣＣＨ、（ｉｉ）１つまたは複数のＧＣ−ＰＤＣＣＨおよび／またはＰＤＣＣＨ内で構成されたＧＣ−ＰＤＣＣＨ  ＣＯＲＥＳＥＴ（複数可）および／またはＰＤＣＣＨ  ＣＯＲＥＳＥＴ（複数可）のみ、または、（ｉｉｉ）特定のＧＣ−ＰＤＣＣＨおよび／またはＰＤＣＣＨオケージョンのみのいずれをＵＥが監視する必要があるかを基地局（例えば、ｇＮＢ）が示す。ＧＣ−ＰＤＣＣＨ／ＰＤＣＣＨオケージョンには、ＧＣ−ＰＤＣＣＨ／ＰＤＣＣＨが発生する時間及び周波数リソース（例えば、複数の領域）が含まれる。各サブフレームがいくつかのスロットを含むので、各サブフレーム内にいくつかのＧＣ−ＰＤＣＣＨおよび／またはＰＤＣＣＨオケージョンが存在し得る。
【０１０９】
ＰＤＣＣＨオケージョンの監視指示にはいくつかの実施形態がある。
【０１１０】
ケース３．１において、基地局は、ＲＲＣシグナリングを介して、またはＧＣ−ＰＤＣＣＨを介して、ＰＤＣＣＨオケージョンをＵＥに示す。基地局は、（ｉ）すべてのＧＣ−ＰＤＣＣＨおよび／またはＰＤＣＣＨオケージョン、（ｉｉ）１つまたは複数のＧＣ−ＰＤＣＣＨおよび／またはＰＤＣＣＨ内における構成されたＧＣ−ＰＤＣＣＨ  ＣＯＲＥＳＥＴ（複数可）および／またはＰＤＣＣＨ  ＣＯＲＥＳＥＴ（複数可）のみ、または、（ｉｉｉ）特定のＧＣ−ＰＤＣＣＨおよび／またはＰＤＣＣＨオケージョンのみのいずれをＵＥが監視する必要があるかを１つのＤＲＸ  ＯＮサイクル中、複数のＤＲＸ  ＯＮサイクル中、各ＤＲＸ  ＯＮサイクル中、または特定の期間中に示し得る。
【０１１１】
ケース３．２において、基地局は、ＰＤＣＣＨ（複数可）を介して、ＰＤＣＣＨオケージョンをＵＥに示す。１つまたは複数のＤＲＸ  ＯＮサイクル内において（または、各ＤＲＸ  ＯＮサイクルの間）、基地局は、（ｉ）すべてのＰＤＣＣＨオケージョン、（ｉｉ）１つまたは複数のＰＤＣＣＨにおいて構成された複数のＰＤＣＣＨ  ＣＯＲＥＳＥＴのみ、または、（ｉｉｉ）特定のＰＤＣＣＨオケージョンのみのいずれをＵＥが監視する必要があるかを示し得る。対照的に、レガシーＬＴＥ無線ネットワークでは、ＵＥは、ＤＲＸ動作のために、そのＯＮサイクル（複数可）の持続時間全体の間、ダウンリンク制御チャネルを監視する必要がある。
【０１１２】
本出願の実施形態によれば、基地局は、ＲＲＣシグナリングを介して１つまたは複数のＣＯＲＥＳＥＴ構成をＵＥに対して構成し得る。各ＣＯＲＥＳＥＴ構成内で、基地局は、ブラインド復号オーバーヘッドを回避するために、ＧＣ−ＰＤＣＣＨおよび／またはＰＤＣＣＨ監視用に、ＧＣ−ＰＤＣＣＨおよび／またはＰＤＣＣＨの特定の時間および／または周波数リソースをＵＥに対して割り当てることができる。一実施形態では、図６の略図６００に示すように、制御チャネル（ＧＣ−ＰＤＣＣＨまたはＰＤＣＣＨ）の残りの部分の監視は、ＵＥによってスキップされ得る。
【０１１３】
ケース４：ＲＴＴ  ＴＩＭＥＲの長さ設定
図７は、本出願の例示的な実施形態に係るＲＴＴタイマー（ＲＴＴ  Ｔｉｍｅｒ）動作を示す図である。図７に示すように、ＯＮサイクル中にＵＥにデータ復号エラーが発生すると、ＵＥは、ＲＴＴ  Ｔｉｍｅｒを設置する。他に追加データ送信が必要とされないとき、ＲＴＴ  Ｔｉｍｅｒが終了するまでに、ＵＥは、ＵＥのＤＲＸ動作を構成時の状態に保つことができる（ＯＮサイクルが終了するときにＵＥがＯＮで留まる必要はない）。ＲＴＴ  Ｔｉｍｅｒの長さは、再送信されたデータを受信するために必要とされる最小の往復時間を表す。（ｅ）ＬＴＥ無線ネットワークでは、ＵＥがＵＬ／ＤＬ切り替え及びデータ処理を実行するのに必要な時間を考慮して、ＲＴＴ  Ｔｉｍｅｒは、固定長（例えば、８ｍｓ）を有する。これは、データ送信のためのタイミングスケーリングが１ｍｓサブフレーム（送信時間間隔（ＴＴＩ）長）を基準とするためである。しかしながら、次世代（例えば、５Ｇ  ＮＲ）ワイヤレスネットワークでは、ＴＴＩ長はもはや１ｍｓの整数倍ではなく、基地局とＵＥとの間のデータ送信は、異なるＴＴＩ長を有する無線リソースを介し得る。なお、本出願の様々な実施形態によれば、ＴＴＩは、スロットまたはミニスロットの時間単位を有し得る。さらに、ＵＥは、より高いレベルの能力を有することが期待される。したがって、ＵＥごとに、ＲＴＴ  Ｔｉｍｅｒの長さは、異なっていることが可能であり、独立して設定することができる。さらに、あるＵＥについて、各データ再送信のためのＲＴＴ  Ｔｉｍｅｒの長さは、異なっていることが可能である。
【０１１４】
以下の実施形態は、次世代（例えば、５Ｇ  ＮＲ）無線ネットワークにおけるＲＴＴ  Ｔｉｍｅｒのカウントおよびメンテナンスを含む。
【０１１５】
ケース４．１において、ＵＥがネットワークに接続する際、ＵＥはその能力をネットワークに報告する必要がある。ＵＥの能力報告中に、ＵＥは、どの程度の速さでＵＥが受信したデータパケットの復号を終えて、対応する肯定応答（ＡＣＫ／ＮＡＣＫ）を生成することができるかを示すＵＥのデータ処理能力を含む。この報告は、事前に規定された能力のカテゴリに基づくことができる。ＵＥの報告に基づいて、ＲＴＴ  Ｔｉｍｅｒを適切に設定することができる。より詳細な情報について、データ処理能力は、基地局によって示される、正確な時間長（持続時間）、シンボル数、スロット数、サブフレーム数、または参照ＴＴＩ長の数に基づく情報を含んでいてもよい。あるいは、ＵＥは、単に、基地局によって事前に規定され、かつ／または、送信されるマッピングテーブルに従って、そのデータ処理能力レベルを報告することもできる。上記マッピングテーブルは、異なる時間長（または上記のような単位のリスト）をいくつかのレベルに分類していてもよい。なお、一実施形態において、ＵＥは、実質的にゼロ（０）待ち時間またはゼロ（０）待ち時間が、ＵＲＬＬＣサービスのＵＥのデータ処理に必要とされることを報告できる。
【０１１６】
ケース４．２において、各ＵＥおよび各データ送信のためのＲＴＴ  Ｔｉｍｅｒの長さについて適切な設定を有するために、基地局は、データ送信に使用される対応無線リソースのＴＴＩ長を考慮する必要がある。データ送信のために使用される、各スケジュールされた無線リソースのＴＴＩ長は異なっていることが可能なので、各対応データ送信のためのＲＴＴ  Ｔｉｍｅｒの長さは、それに応じて設定される必要がある。したがって、いくつかの実施形態では、基地局に、データ送信スケジューリングごとに、または周期的に、ＲＴＴ  Ｔｉｍｅｒの長さを調整させることが有益である。
【０１１７】
図１に示される物理的制御チャネルアーキテクチャに基づくスロットフォーマット関連情報は、ＵＥによってＰＤＣＣＨを復号するため、および、対応するスケジュールされたデータ送信を実行するために、ＧＣ−ＰＤＣＣＨに含まれ得る。ＧＣ−ＰＤＣＣＨまたはＰＤＣＣＨ内で、基地局は、ＵＥ用のＲＴＴ  Ｔｉｍｅｒの長さをさらに設定することができる。ＲＴＴ  Ｔｉｍｅｒの長さは、スケジュールされたデータのサービス品質（ＱｏＳ）、（前のサブセクションで紹介されたような）ＵＥの能力、および、データ送信および将来の再送信のために使用される無線リソースのＴＴＩ長に基づいて設定することができる。以下は、いくつかの設定手順である。
【０１１８】
一設定手順におけるケース４．２．Ａでは、データ送信スケジューリングごとに、基地局は、Ｌ１／Ｌ２スケジューリング情報内にインデックス／シーケンスを含み得る。事前に規定されたマッピングテーブルおよび受信されたインデックス／シーケンスに基づいて、ＵＥは、ＲＴＴ  Ｔｉｍｅｒの長さがどれくらいの長さであるかを決定することができる。なお、基地局によって示されるＲＴＴ  Ｔｉｍｅｒの長さは、時間の正確な値、またはＴＴＩ、スロット、シンボル、またはサブフレームの数とすることができる。ＴＴＩ／スロット／シンボルの場合、ＵＥは、ＲＴＴ  Ｔｉｍｅｒの正確な長さを把握するために、ＧＣ−ＰＤＣＣＨまたはＰＤＣＣＨにおけるＳＦＩまたは何らかの関連する無線リソースフォーマットインジケーションをさらに参照してもよい。
【０１１９】
別の設定手順における、ケース４．２．Ａと類似のケース４．２．Ｂでは、インデックス／シーケンス、正確な値、および／または、ＴＴＩ／スロット／シンボルの数が、基地局によって、ＲＲＣシグナリングを介して各ＵＥに対して独立して設定されることが違いとなる。また、対応するマッピングテーブル、ＳＦＩ、および／または、関連する無線リソースフォーマットインジケーションも、参照用に必要とされる。
【０１２０】
さらに別の設定手順におけるケース４．２．Ｃでは、基地局が、ＲＴＴ  Ｔｉｍｅｒの長さのいくつかのレベルを事前に規定してもよい。この場合、基地局は、Ｌ１／Ｌ２スケジューリング情報またはＲＲＣシグナリングを介して、上記レベルをＵＥに対して示すのみである。
【０１２１】
なお、基地局によって示されるＲＴＴ  Ｔｉｍｅｒの長さは、ＨＡＲＱプロセス全体（同じデータのさらなる再送信）のために再使用されることができる。別の実施形態では、基地局は、再送信ごとにＲＴＴ  Ｔｉｍｅｒの長さを再設定することができる。
【０１２２】
図８Ａは、本出願の例示的な実施形態に係る、ＤＲＸ動作のためのＵＥによる方法を示すフローチャート８００Ａである。本実施形態では、フローチャート８００Ａは、動作８０２および８０４を含む。動作８０２において、ＵＥは、その受信回路を使用して、第１のＤＲＸパラメータ構成を含む無線リソース制御（ＲＲＣ）構成を受信する。第１のＤＲＸパラメータ構成は、第１の単位を有する第１のＤＲＸパラメータを構成する。動作８０４において、ＵＥは、その受信回路を使用して、第２のＤＲＸパラメータ構成を含むＲＲＣ構成を受信する。第２のＤＲＸパラメータ構成は、第２の単位を有する第２のＤＲＸパラメータを構成する。ここで、第１の単位はミリ秒またはサブミリ秒であり、第２の単位はスロットまたはシンボルである。
【０１２３】
いくつかの実施形態では、第１の単位の第１の時間長（持続時間）は固定されており、第２の単位の第２の時間長（持続時間）はスケーラブルである。いくつかの実施形態では、第２の単位の第２の時間長の決定は、第２のＤＲＸパラメータが適用される帯域幅部分（ＢＷＰ）のフレーム構造に基づく。いくつかの実施形態では、フレーム構造は、サブキャリア間隔に基づいて決定される。いくつかの実施形態では、第１のＤＲＸパラメータは、表１に示されるＰＷＦＣまたはＰＷＦＴなどのＦＴＵを有するパラメータである。いくつかの実施形態では、第２のＤＲＸパラメータは、表１に示されるＰＷＳＣまたはＰＷＳＴなどのＳＴＵを有するパラメータである。いくつかの実施形態では、第２の単位の第２の時間長（持続時間）は、本明細書で説明されるように、各構成されたＢＷＰに関するＢＷＰインジケータおよび事前に構成されたサブキャリア間隔インジケータに基づいて、データ送信スケジューリングごとにスケーリングされる。いくつかの実施形態では、第２のＤＲＸパラメータがＤＲＸ動作のＯＮサイクル中にＵＥによって受信されないと、ＵＥは、本明細書に記載されるように、ＤＲＸ動作における先のＯＮサイクル中に受信された、前に受信の第２のＤＲＸパラメータを適用する。
【０１２４】
いくつかの実施形態において、第２のＤＲＸパラメータは、物理的ダウンリンク制御チャネル（ＰＤＣＣＨ）またはグループ共通（ＧＣ）−ＰＤＣＣＨを通じて、ＵＥによって受信される。いくつかの実施形態において、第２の単位の第２の時間長（持続時間）は、さらに、ＰＤＣＣＨまたはＧＣ−ＰＤＣＣＨにおける、スロット／シンボルフォーマット情報（ＳＦＩ）または無線リソースフォーマットインジケーションに基づいている。いくつかの実施形態では、第１のＤＲＸパラメータは、本明細書に記載されるように、ＤＲＸ動作のＯＮ／ＯＦＦサイクルに基づいて構成される。いくつかの実施形態では、第２のＤＲＸパラメータは、本明細書に記載されるように、再構成可能であり、ＤＲＸ動作の１つまたは複数のＯＮサイクル中にＵＥによって受信される。いくつかの実施形態では、ＵＥは、第２のＤＲＸパラメータを受信するために、１つまたは複数のサブキャリア、サブバンド、またはＢＷＰを監視する。
【０１２５】
図８Ｂは、本出願の例示的な実施形態に係る、ＤＲＸ動作のための基地局による方法を示すフローチャート８００Ｂである。本実施形態では、フローチャート８００Ｂは、動作８２２および８２４を含む。動作８２２において、基地局は、その送信回路を使用して、第１のＤＲＸパラメータ構成を含む無線リソース制御（ＲＲＣ）構成を提供する。第１のＤＲＸパラメータ構成は、第１の単位を有する第１のＤＲＸパラメータを構成する。動作８２４において、基地局は、その送信回路を使用して、第２のＤＲＸパラメータ構成を含むＲＲＣ構成を送信する。第２のＤＲＸパラメータ構成は、第２の単位を有する第２のＤＲＸパラメータを構成する。ここで、第１の単位はミリ秒またはサブミリ秒であり、第２の単位はスロットまたはシンボルである。
【０１２６】
いくつかの実施形態では、第１の単位の第１の時間長（持続時間）は固定されており、第２の単位の第２の時間長（持続時間）はスケーラブルである。いくつかの実施形態では、第２の単位の第２の時間長（持続時間）の決定は、第２のＤＲＸパラメータが適用される帯域幅部分（ＢＷＰ）のフレーム構造に基づく。いくつかの実施形態では、フレーム構造は、サブキャリア間隔に基づいて決定される。いくつかの実施形態では、第１のＤＲＸパラメータは、表１に示されるＰＷＦＣまたはＰＷＦＴなどのＦＴＵを有するパラメータである。いくつかの実施形態では、第２のＤＲＸパラメータは、表１に示されるＰＷＳＣまたはＰＷＳＴなどのＳＴＵを有するパラメータである。いくつかの実施形態では、第２の単位の第２の時間長（持続時間）は、本明細書で説明されるように、各構成されたＢＷＰに関するＢＷＰインジケータおよび事前に構成されたサブキャリア間隔インジケータに基づいて、データ送信スケジューリングごとにスケーリングされる。
【０１２７】
いくつかの実施形態では、第２のＤＲＸパラメータは、物理的ダウンリンク制御チャネル（ＰＤＣＣＨ）またはグループ共通（ＧＣ）−ＰＤＣＣＨを通じて、基地局によって提供される。いくつかの実施形態では、第２の単位の第２の時間長（持続時間）は、さらに、ＰＤＣＣＨまたはＧＣ−ＰＤＣＣＨにおける、スロット／シンボルフォーマット情報（ＳＦＩ）または無線リソースフォーマットインジケーションに基づいている。いくつかの実施形態では、第１のＤＲＸパラメータは、本明細書に記載するように、ＤＲＸ動作のＯＮ／ＯＦＦサイクルに基づいて構成される。いくつかの実施形態では、第２のＤＲＸパラメータは、本明細書に記載するように、再構成可能であり、ＤＲＸ動作の１つまたは複数のＯＮサイクル中に基地局によって提供される。いくつかの実施形態では、基地局は、１つまたは複数の、サブキャリア、サブバンド、またはＢＷＰにおいて第２のＤＲＸパラメータを提供する。いくつかの実施形態では、第２のＤＲＸパラメータは、周期的に、またはデータ送信スケジューリングごとに、基地局によって再構成可能である。
【０１２８】
図９は、本出願の様々な態様に係る、無線通信のためのノードのブロック図を示す。図９に示すように、ノード９００は、トランシーバ９２０、プロセッサ９２６、メモリ９２８、１つまたは複数の表示コンポーネント９３４、および少なくとも１つのアンテナ９３６を備える。ノード９００はまた、ＲＦスペクトル帯域モジュール、基地局通信モジュール、ネットワーク通信モジュール、およびシステム通信管理モジュール、入力／出力（Ｉ／Ｏ）ポート、Ｉ／Ｏコンポーネント、および電源（図９には明示的に示されていない）を含み得る。これらの構成要素のそれぞれは、１つまたは複数のバス９４０を通じて、直接または間接的に、互いに通信することができる。一実施形態において、ノード９００は、例えば、図１から図８Ｂを参照して本明細書中に説明した様々な機能を実行するＵＥまたは基地局であり得る。
【０１２９】
送信機（または送信回路）９２２および受信機（または受信回路）９２４を備えるトランシーバ９２０は、時間および／または周波数リソース分割情報を送信および／または受信するように構成され得る。いくつかの実施形態において、トランシーバ９２０は、使用可能、使用不可能、および柔軟に使用可能なサブフレームおよびスロットフォーマットを含むが、これらに限定されない、異なるタイプのサブフレームおよびスロットで送信するように構成され得る。トランシーバ９２０は、データおよび制御チャネルを受信するように構成され得る。
【０１３０】
ノード９００は、様々なコンピュータ読み取り可能媒体を備えることができる。コンピュータ読み取り可能媒体は、ノード９００によってアクセスすることができ、揮発性および不揮発性媒体、リムーバブルおよび非リムーバブル媒体の両方を含む、任意の利用可能な媒体とすることができる。限定ではなく例として、コンピュータ読み取り可能媒体は、コンピュータ記憶媒体および通信媒体を含み得る。コンピュータ記憶媒体は、コンピュータ読み取り可能命令、データ構造、プログラムモジュール、または他のデータなどの情報を記憶するための任意の方法または技術で実装される、揮発性および不揮発性、リムーバブルおよび非リムーバブル媒体の両方を含む。
【０１３１】
コンピュータ記憶媒体は、ＲＡＭ、ＲＯＭ、ＥＥＰＲＯＭ（登録商標）、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は、典型的には、コンピュータ読み取り可能命令、データ構造、プログラムモジュール、または他のデータを、搬送波または他のトランスポート機構などの変調データ信号で具現化し、任意の情報配信媒体を含む。用語「変調されたデータ信号」は、その特性のうちの１つまたは複数が、信号内の情報を符号化するように設定または変更された信号を意味する。限定ではなく例として、通信媒体は、有線ネットワークまたは直接有線接続などの有線媒体と、音響、ＲＦ、赤外線、および他の無線媒体などの無線媒体とを含む。上記のいずれかの組合せも、コンピュータ読み取り可能媒体の範囲内に含まれるべきである。
【０１３２】
メモリ９２８は、揮発性および／または不揮発性メモリの形態のコンピュータ記憶媒体を含むことができる。メモリ９２８は、取り外し可能、取り外し不能、またはそれらの組み合わせであってもよい。例示的なメモリは、ソリッドステートメモリ、ハードドライブ、光ディスクドライブなどを含む。図９に示すように、メモリ９２８は、実行されると、プロセッサ９２６に、例えば、図１から図８Ｂを参照して本明細書で説明する様々な機能を実行させるように構成されたコンピュータ読み取り可能でコンピュータ実行可能命令９３２（例えば、ソフトウェアコード）を格納することができる。あるいは、命令９３２は、プロセッサ９２６によって直接実行可能ではなく、ノード９００に（例えば、コンパイルされ実行されるときに）本明細書で説明される様々な機能を実行させるように構成されてもよい。
【０１３３】
プロセッサ（または処理回路）９２６は、インテリジェントハードウェアデバイス、例えば、中央処理装置（ＣＰＵ）、マイクロコントローラ、ＡＳＩＣなどを含み得る。プロセッサ９２６は、メモリを含み得る。プロセッサ９２６は、メモリ９２８から受信したデータ９３０および命令９３２、ならびにトランシーバ９２０、ベースバンド通信モジュール、および／またはネットワーク通信モジュールを介した情報を処理することができる。プロセッサ９２６は、また、アンテナ９３６を介して、コアネットワークへの送信のためにネットワーク通信モジュールに送信するために、トランシーバ９２０に送信されるべき情報を処理することもできる。
【０１３４】
１つまたは複数の表示コンポーネント９３４は、個人または他のデバイスにデータ表示を提示する。例示的な表示コンポーネント９３４は、表示デバイス、スピーカー、印刷コンポーネント、振動コンポーネントなどを含む。
【０１３５】
上記の説明から、様々な技術が、これらの概念の範囲から逸脱することなく、本出願で説明される概念を実行するために使用され得ることが明らかである。さらに、概念は、特定の実施形態を特に参照して説明されてきたが、当業者は、それらの概念の範囲から逸脱することなく、形態および詳細において変更を行うことができることを認識するであろう。したがって、説明された実施形態は、すべての点において、例示的なものであり、限定的なものではないと考えられるべきである。また、本出願は、上述の特定の実施形態に限定されるものではなく、本開示の範囲から逸脱することなく、多くの再構成、修正、および置換が可能であることを理解されたい。
【図面の簡単な説明】
【０１３６】
【図１】本出願の例示的な実施形態に係る、制御チャネルアーキテクチャを示す概略図である。
【図２Ａ】本出願の例示的な実施形態に係る、グループ共通物理的ダウンリンク制御チャネル（ＧＣ−ＰＤＣＣＨ）リソースのための制御リソースセット（ＣＯＲＥＳＥＴ）構成を示す図である。
【図２Ｂ】本出願の例示的な実施形態に係る、ＰＤＣＣＨリソースのためのＣＯＲＥＳＥＴ構成を示す図である。
【図３】本出願の例示的な実施形態に係る、固定計時単位を有する要素と、スケーラブル計時単位を有する要素とを有するフレーム構造を示す概略図である。
【図４】本出願の例示的な実施形態に係る、フレーム構造を示す概略図である。
【図５】本出願の例示的な実施形態に係る、２段階ＤＲＸ動作チャネルを示す図である。
【図６】本出願の例示的な実施形態に係る、制御チャネル監視を示す図である。
【図７】本出願の例示的な実施形態に係る、ＲＴＴタイマー（ＲＴＴ  Ｔｉｍｅｒ）および関連動作を示す図である。
【図８Ａ】本出願の例示的な実施形態に係る、ＤＲＸ動作のためのＵＥによる方法を示すフローチャートである。
【図８Ｂ】本出願の例示的な実施形態に係る、ＤＲＸ動作のための基地局による方法を示すフローチャートである。
【図９】本出願の例示的な実施形態に係る、無線通信のためのノードを示すブロック図である。
【図１】
0006938809.tif 000003
【図２Ａ】
0006938809.tif 000004
【図２Ｂ】
0006938809.tif 000005
【図３】
0006938809.tif 000006
【図４】
0006938809.tif 000007
【図５】
0006938809.tif 000008
【図６】
0006938809.tif 000009
【図７】
0006938809.tif 000010
【図８Ａ】
0006938809.tif 000011
【図８Ｂ】
0006938809.tif 000012
【図９】
0006938809.tif 000013